(57)【要約】【課題】利用者の体調に関する情報のみならず、利用者の周囲の環境に関する情報も取得して、精度の高い健康管理サービスを提供するシステムを提供する。【解決手段】携帯電話端末１０は生体情報データと環境情報データを取得し、このデータを健康管理サービスセンター２０に随時送信することで、きめこまやかな健康管理サービスの提供を受けることができる。携帯電話端末１０に、発汗、脈拍、体温などの生体情報データを取得する生体情報取得部１５と、気温、湿度、紫外線などの環境情報データを取得する環境情報取得部１６を設ける。健康管理サービスセンター２０は、受信したデータを集計したり、分析したりすることで、使用者のおかれている環境情報と、そのときの体調を判断し、使用者にその状況に応じた体調を維持するための健康管理サービスを提供する。【選択図】  図１
2004318565.tif 000002
【特許請求の範囲】
【請求項１】
携帯端末が、ネットワークを介して接続する健康管理サーバに、システム利用者の体調を示すデータを送信すると、前記健康管理サーバが、該データをもとに、利用者の健康に関する情報またはサービスを提供する健康管理システムにおいて、
前記携帯端末は、利用者の現在の体調を示すデータのみならず、利用者が現在いる環境を示すデータを取得し、該データを前記健康管理サーバに送信することを特徴とするシステム。
【請求項２】
前記健康管理サーバは、複数の前記携帯端末から、利用者の現在の体調を示すデータおよび／または利用者が現在いる環境を示すデータを受信し、該データの統計を利用者の健康に関する情報またはサービスの提供に反映させる、請求項１に記載のシステム。
【請求項３】
前記健康管理サーバは家電を含み、該家電は、利用者の現在の体調を示すデータおよび／または利用者が現在いる環境を示すデータをもとに、その動作を決定する、請求項１または２に記載のシステム。
【発明の詳細な説明】
【０００１】
【発明の属する技術分野】
本発明は、ネットワークを介して利用者の健康に関する情報やサービスを提供するシステムに関する。
【０００２】
【従来の技術】
現代社会では、空調設備が整い、室内では比較的過ごしやすくなっている。その一方、室内と室外の激しい温度差や、冷暖房の効きすぎのなどにより、体に負担をかけ、体調を崩すことが増えている。このように、気温、室温、湿度の急激の変化により体調の維持が難しくなっているという問題がある。
【０００３】
このような状況においては、周りの環境を正確に把握し、常に自分の体調に気を使う必要がある。そして、周囲の環境と自分の体調から総合的に健康管理を行う必要がある。また、体調や環境は常に変化するので、リアルタイムに測定できる必要があり、常に携帯できるものが望ましい。
【０００４】
従来技術には、身体測定機能を内蔵した携帯端末により、利用者の健康状態のデータをリアルタイムに取得し、このデータにもとづいて、健康管理サービスを提供するシステムがある（特許文献１参照）。
【０００５】
【特許文献１】
特開２００３−２４２８５号公報
【０００６】
【発明が解決しようとする課題】
しかしながら、人間の体調はあくまで周りの環境との相関により判断されるべきものであり、単に体温、血圧などの情報をもとにするだけでは、精度の高い健康管理サービスを提供することはできない。
【０００７】
本発明の目的は、利用者の体調に関する情報のみならず、周囲の環境に関する情報も取得して、精度の高い健康管理サービスを提供するシステムを提供することにある。
【０００８】
【課題を解決するための手段】
上記目的を達成するために、本発明は、携帯電話端末で環境情報データと生体情報データを取得し、このデータを健康管理サービスセンターに随時送信することで、きめこまやかな健康管理サービスや新しいアプリケーションの提供を可能にする。携帯電話端末に、発汗、脈拍、体温などの生体情報データを測定する装置と気温、湿度、紫外線などの環境情報データを測定する装置を取り付ける。上記の生体情報や環境情報を、通話、Ｗｅｂ、メールなどの通信手段を用いて、病院や健康管理サービスセンターに送信する。病院や健康管理サービスセンターでは受信したデータを集計したり、分析したりすることで、使用者のおかれている環境情報と、そのときの体調を判断し、使用者にその状況に応じた体調を維持するための健康管理サービスを提供する。
【０００９】
これにより、携帯電話ユーザに現在の場所、環境、体調を考慮したリアルタイムで総合的な健康管理サービスを提供することができる。
【００１０】
【発明の実施の形態】
次に、本発明の実施の形態について、図面を参照して詳細に説明する。
【００１１】
図１を参照すると、本発明の第１の実施形態の健康管理システムは、携帯電話端末１０と、健康管理サービスセンター２０と、携帯電話網３０と、ネットワーク４０からなる。
【００１２】
携帯電話端末１０は、無線制御部１１と、データ処理部１２と、メモリ１３と、アンテナ１４と、生体情報取得部１５と、環境情報取得部１６を含む。
【００１３】
健康管理サービスセンター２０は、ネットワーク接続部２１と、環境、生体情報処理、管理部２２を含む。
【００１４】
携帯電話網３０は、基地局３１と交換局３２を含む。
【００１５】
無線制御部１１とアンテナ１４は、データ処理部１２とメモリ１３で変換された生体および環境情報データを基地局３１に送り出す。
【００１６】
データ処理部１２とメモリ１３は、生体情報取得部１５と環境情報取得部１６によって取得された生体および環境情報データから、健康管理サービスの提供を受けるために必要なデータだけを取り出し、圧縮や暗号化により送信に適するようにデータの変換を行う。また、携帯電話端末１０内で健康管理サービスが提供できるようにデータの変換も可能とする。
【００１７】
生体情報測定部１５は、発汗、脈拍、体温などの生体情報を測定する小型のセンサである。具体例としては、発汗では水分蒸発量測定器（被測定表面からの蒸発水分により、湿度の上昇の変化率を測定）、脈拍ではイヤー型センサ、リストバンド型センサ、指センサ型センサなど、体温ではサーミスタ（半導体の温度特性を利用した半導体抵抗温度センサ）などが挙げられる。
【００１８】
環境情報測定部１６は、気温、湿度、紫外線などの環境情報を測定する小型のセンサである。具体例としては、気温では気温サーモパイル（赤外線センサを複数用いたセンサ）、サーミスタ（半導体の温度特性を利用した半導体抵抗温度センサ）など、湿度では高分子膜湿度センサ（高分子膜の水分の吸収・放出に伴う誘電率変化から雰囲気の相対湿度を測定）、セラミック湿度センサ（水分子がセラミックの成分と焼結し、イオンが作られることにより電気伝導が発生することを利用）、解質湿度センサ（塩化リチウムを用いたセンサ）など、紫外線では化合物光半導体受光素子（ＧａＡｓＰフォトダイオード、複合素子（Ｓｉ＋ＩｎＧａＡｓ））などが挙げられる。
【００１９】
ネットワーク接続部２１は、健康管理サービスセンター２０をネットワーク４０に接続する。
【００２０】
環境、生体情報処理、管理部５２は、受信した生体情報、環境情報データの解凍や復元等のデータ変換や保存、および、健康管理サービス提供のための送信データの画像、文字、音声データへの変換や圧縮、暗号化を行う。
【００２１】
ネットワーク４０は、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などである。
【００２２】
携帯電話端末１０は、通話、Ｗｅｂ、メールなどの手段を用い、携帯電話網３０およびネットワーク４０を介して、その環境、生体情報データを健康管理サービスセンター２０に送信する。
【００２３】
次に、本システムの動作について説明する。
【００２４】
まず、携帯電話端末１０の生体情報取得部１５により、汗、脈拍、体温といった生体情報データを取得する。また、環境情報取得部１６により、気温、湿度、紫外線といった環境情報データを取得する。
【００２５】
測定されたデータは、データ処理部１２とメモリ１３に送られる。ここでは、健康管理サービス提供に必要なデータの抽出、通信の効率化やセキュリティのための圧縮や暗号化等を行う。
【００２６】
変換されたデータは、無線制御部１１やアンテナ１４を介して、ネットワーク４０上に送信される。ここでの送信手段として、通話、Ｗｅｂ、メールなどを用いる。
【００２７】
基地局３１に送信されたデータは、基地局３１と交換局３２、ＬＡＮやＷＡＮなどのネットワーク４０を通して、健康管理サービスセンター２０で受信される。
【００２８】
健康管理サービスセンター２０は、ネットワーク接続部２１を介してデータを受信する。環境、生体情報処理、管理部２２にて、圧縮されたデータの解凍や暗号化されたデータの復元、受信データの保存や、健康管理サービスを送信するためのデータ圧縮や暗号化、および、それぞれの健康管理サービスに適した画像、音声、文字データ等への変換を行う。
【００２９】
健康管理サービスセンター２０は、健康管理サービスや情報を携帯電話端末１０に提供するためにネットワーク接続部２１を介して、ネットワーク４０に健康管理サービスや情報を送信する。
【００３０】
図２を参照すると、本発明の第２の実施形態の健康管理システムの構成が示されている。環境情報取得部１６を有する携帯電話端末１０は、使用者のいる環境（室温、湿度など）を測定する。測定した結果が、携帯電話端末１０に設定してある温度（設定温度送信部６３から取得した設定温度）とは異なる場合や使用者が環境を不快に感じた場合、リモコン機能や無線通信機能（赤外線ＩＦ、ＢＴ（Ｂｌｕｅｔｏｏｔｈ）ＩＦ）などにより、設定データ受信部６１に対して空調設備６２の温度設定要求を行うことができる。リモコン機能は、公共の場で無線通信機能やネットワークを介してダウンロード可能とする。温度設定要求は、設定データ受信部６１を通して、空調設備６２に送られる。空調設備６２は、多数決で温度設定要求に対応することとする。また、空調設備６２は設定温度送信部６３を有し、設定温度受信部１７を有する携帯電話端末１０に現在の設定温度を送信する。
【００３１】
図３を参照すると、本システムにおける、携帯電話端末１０による温度設定要求から空調設備６２の温度調節までの処理の流れが示されている。携帯電話端末１０からリモコン機能や無線通信機能などで送信された設定温度要求は設定温度受信部６１にて受信され、全データが集計される。データを集計するタイミングは、公共の場の空調設備６２にて設定可能とする。（何分刻みなど）集計されたデータをもとに多数決で設定温度を変更する。空調の温度をあげる要求が多い場合は設定温度をあげる。空調の温度を保つ要求が多い場合は設定温度をそのままとする。空調の温度を下げる要求が多い場合は設定温度をさげる。
【００３２】
図４を参照すると、本発明の第３の実施形態の健康管理システムの構成が示されている。環境情報取得部１６は、外の環境（気温、湿度、天気など）を測定する。また、生体情報取得部１５は、使用者の生体情報（脈拍、発汗、体温など）を測定する。この環境情報と生体情報を踏まえて、それぞれの電化製品などに送信するデータを生成する。生成されたデータを、Ｗｅｂ、メールなどを用い、基地局３１と交換局３２、ＬＡＮやＷＡＮなどのネットワーク４０を介して、電気ポット７１、乾燥機付き洗濯機７２、湯沸し器７３に送信し、そのデータにより電化製品が動作する。
【００３３】
本発明の他の実施形態としては、以下のようなものが挙げられる。
【００３４】
（１）体調を崩す原因になりそうな状況（風邪にかかりそうな場所、紫外線の強い場所）に立ち入ったことを検出し、携帯電話端末に警告音を発生させ、注意を促す。
【００３５】
（２）患者が脈拍、体温などのデータと、室内の環境のデータを健康管理サービスセンターの病院に送信すると、病院側からその人の体調に合わせた健康管理に関する指示内容が患者に届く。普段より脈拍が高いので注意するようにさせ、携帯電話端末にエアコンなどの設定情報を送信する。毎日のデータを蓄積させ、医者の指示なくても、指示を送ることができる。
【００３６】
（３）室内の環境（室温、湿度）などが不適切な環境である場合、適切な環境にするように携帯電話端末を通して指示を出す。リモコン機能を有した携帯電話端末では、その指示を自動で空調設備に送信することで自動的に空調設備を適温にすることができる。室温が高いので温度をさげるように指示したり、室温が高く、湿度が高いので、水分を取るように指示したりする。食中毒などに注意をうながしたりする。
【００３７】
（４）その日の体調と気象条件に合ったお店情報、レジャー情報や献立情報を提供する。風邪ぎみで、寒い日は、なべのおいしいお店、元気で暑い日は、ビールのおいしいお店、ぽかぽか陽気の日は、ピクニックお勧め地を紹介する。天気に合わせて、おすすめ料理の献立を紹介する。
【００３８】
【発明の効果】
以上説明したように、本発明によれば、生体情報、環境情報を携帯電話端末で測定し、ネットワークを介して健康管理サービスセンターに送信し、健康管理サービスセンターが携帯電話端末に健康管理サービスを提供することで、場所や時間にとらわれることなく、携帯電話ユーザにリアルタイムで総合的な健康管理サービス、情報提供を行える。
【図面の簡単な説明】
【図１】本発明の第１の実施形態の健康管理システムの構成を示す図である。
【図２】本発明の第２の実施形態の健康管理システムの構成を示す図である。
【図３】本発明の第２の実施形態の健康管理システムにおいて、携帯電話端末１０による温度設定要求から空調設備６２の温度調節までの処理の流れを示した図である。
【図４】本発明の第３の実施形態の健康管理システムの構成を示す図である。
【符号の説明】
１０  携帯電話端末
１１  無線制御部
１２  データ処理部
１３  メモリ
１４  アンテナ
１５  生体情報取得部
１６  環境情報取得部
１７  設定温度受信部
２０  健康管理サービスセンター
２１  ネットワーク接続部
２２  環境、生体情報処理、管理部
３０  携帯電話網
３１  基地局
３２  交換局
４０  ネットワーク
６１  設定データ受信部
６２  空調設備
６３  設定温度送信部
７１  電気ポット
７２  乾燥機付き洗濯機
７３  湯沸かし器
【図１】
2004318565.tif 000003
【図２】
2004318565.tif 000004
【図３】
2004318565.tif 000005
【図４】
2004318565.tif 000006